(57)【要約】【課題】鏡筒内に保持する複数のレンズの調芯作業に要する時間及びコスト等を削減することができると共に、鏡筒へのレンズの固定を迅速且つ確実に行うことができるレンズユニットを提供する。【解決手段】第１レンズ１の背面の周縁にテーパ面１５を形成し、これに当接するテーパ面５２を鏡筒５のレンズ保持部５１に形成する。また、第２レンズ２の正面の周縁にテーパ面２５を形成し、これに当接するテーパ面６４をレンズ押さえ６の押さえ部６２の背面に形成する。レンズユニットの組み立ての際には、鏡筒５内に第１レンズ１、スペーサ７及び第２レンズ２を挿嵌し、レンズ押さえ６を鏡筒５に螺合する回転動作を行うことで、第１レンズ１及び第２レンズ２の中心軸を鏡筒５の中心軸に一致させることができる。【選択図】図３
2010134378.tif 000002
【特許請求の範囲】
【請求項１】
複数の円形のレンズと、該複数のレンズを内部に保持する円筒状の鏡筒と、該鏡筒に内嵌すると共に、レンズ間に介在して軸方向の位置決めを行う円筒状のスペーサとを備えるレンズユニットにおいて、
前記鏡筒の軸方向の一端側に螺合して、前記鏡筒内に保持された前記レンズ及びスペーサを軸方向の他端側へ押圧して固定するレンズ押さえを備え、
前記レンズは、軸方向の一側の周縁が他側へ向けて拡径するテーパ状をなし、
前記鏡筒、スペーサ又はレンズ押さえは、前記レンズの周縁に当接するテーパ状の部分を有すること
を特徴とするレンズユニット。
【請求項２】
一のレンズは、前記一側の周縁が前記鏡筒の他端側となるように、前記鏡筒内に保持され、
前記鏡筒は、内周面の全周に亘って突設され、前記レンズに外嵌すると共に、前記レンズの一側の周縁に接する部分を有する環状のレンズ保持部を有し、
該レンズ保持部の前記レンズの一側の周縁に接する部分が、前記鏡筒の他端側から一端側へ拡径するテーパ状に形成してあること
を特徴とする請求項１に記載のレンズユニット。
【請求項３】
前記鏡筒に保持された複数の前記レンズのうち、前記鏡筒の最も一端側寄りに配されるレンズは、前記一側の周縁が前記鏡筒の一端側となるように、前記鏡筒内に保持され、
前記レンズ押さえは、前記レンズの前記一側の周縁に接して押圧する部分を有し、該部分が前記鏡筒の一端側から他端側へ拡径するテーパ状に形成してあること
を特徴とする請求項１又は請求項２に記載のレンズユニット。
【請求項４】
前記スペーサは、一端側の端面が前記レンズの前記一側の周縁に接すると共に、前記端面が他端側から前記一端側へ拡径するテーパ状に形成してあること
を特徴とする請求項１乃至請求項３のいずれか１つに記載のレンズユニット。
【発明の詳細な説明】
【技術分野】
【０００１】
本発明は、複数のレンズが鏡筒内に並べて保持された構成のレンズユニットに関し、詳しくは鏡筒内のレンズの軸合わせ（調芯）を行う必要がないレンズユニットに関する。
【背景技術】
【０００２】
撮像装置は一般的にレンズユニットを備えており、レンズユニットは略円筒型の鏡筒が複数のレンズを保持する構成をなしている。レンズユニットの組み立ては、鏡筒内に複数のレンズを順次挿入し、レンズの調芯を行った後、例えば接着剤などを用いてレンズを鏡筒に接着固定することで行われる。複数のレンズの間の僅かな位置ずれ又は偏心等が生じた場合、レンズユニットの光学性能が著しく低下するため、レンズの調芯は精度よく行う必要がある。
【０００３】
レンズの調芯作業は、レンズユニットのレンズを通して撮像装置によるチャート画像の撮像を行い、撮像により得られたチャート画像を基にレンズ間の軸のずれ及びＭＴＦ（Modulation Transfer Function）などの光学性能を算出し、算出結果に応じてレンズの位置を調整することで行われる。
【０００４】
特許文献１においては、複数のレンズ及びＣＣＤ（Charge Coupled Device）を一体的に備えるカメラユニットのレンズ同士の調芯を容易に行うことができるレンズ調芯装置が提案されている。このレンズ調芯装置は、カメラユニットを前方が上向きとなるように載置するテーブルと、最前端に配置されたレンズを上から押圧するように保持するレンズホルダと、レンズホルダを三次元方向に移動させる駆動機構と、カメラユニットの上方に配置された撮影チャート及びＣＣＤにより撮影された撮影チャートの画像を表示するモニタとを備える。これにより、モニタの表示画像を確認しつつ、駆動機構を適宜に駆動することでレンズ同士の調芯作業を行うことができる。
【特許文献１】特開２００５−２４９９６号公報
【発明の開示】
【発明が解決しようとする課題】
【０００５】
レンズユニットが備える複数のレンズの調芯作業を行うためには、特許文献１に記載のレンズ調芯装置のように、レンズユニットを通してチャート画像の撮像を行う撮像装置、撮像したチャート画像を表示する表示装置、レンズユニットの光学特性を算出する演算装置、及びレンズを把持して位置を調整する装置等の種々の装置が必要であり、これらの装置を用いた作業は煩雑であり、多大な時間及びコスト等を要するという問題がある。
【０００６】
また、レンズユニットが多数のレンズを備えている場合、鏡筒内にレンズを順に挿入し、レンズ毎に調芯作業と鏡筒への接着固定の作業とを順に行う必要がある。鏡筒へのレンズの固定には、硬化の速度及び精度等の観点から、紫外線の照射により硬化させることができる光硬化型接着剤を用いることが望ましい。しかし、レンズユニットが赤外線レンズを備える場合、赤外線レンズは紫外線を透過しないため、光硬化型接着剤を用いることができない。そこで加熱により硬化させることができる熱硬化型接着剤を用いてレンズの接着固定を行うことができるが、熱硬化型接着剤は硬化するまでの時間が長く、また、レンズ及び鏡筒の熱膨張差によって接着剤の硬化時にレンズの位置ずれ又は偏心等が生じる虞がある。
【０００７】
本発明は、斯かる事情に鑑みてなされたものであって、その目的とするところは、鏡筒内に保持される複数のレンズの調芯作業に要する時間及びコスト等を削減することができると共に、鏡筒へのレンズの固定を迅速且つ確実に行うことができるレンズユニットを提供することにある。
【課題を解決するための手段】
【０００８】
本発明に係るレンズユニットは、複数の円形のレンズと、該複数のレンズを内部に保持する円筒状の鏡筒と、該鏡筒に内嵌すると共に、レンズ間に介在して軸方向の位置決めを行う円筒状のスペーサとを備えるレンズユニットにおいて、前記鏡筒の軸方向の一端側に螺合して、前記鏡筒内に保持された前記レンズ及びスペーサを軸方向の他端側へ押圧して固定するレンズ押さえを備え、前記レンズは、軸方向の一側の周縁が他側へ向けて拡径するテーパ状をなし、前記鏡筒、スペーサ又はレンズ押さえは、前記レンズの周縁に当接するテーパ状の部分を有することを特徴とする。
【０００９】
また、本発明に係るレンズユニットは、一のレンズが、前記一側の周縁が前記鏡筒の他端側となるように、前記鏡筒内に保持され、前記鏡筒は、内周面の全周に亘って突設され、前記レンズに外嵌すると共に、前記レンズの一側の周縁に接する部分を有する環状のレンズ保持部を有し、該レンズ保持部の前記レンズの一側の周縁に接する部分が、前記鏡筒の他端側から一端側へ拡径するテーパ状に形成してあることを特徴とする。
【００１０】
また、本発明に係るレンズユニットは、前記鏡筒に保持された複数の前記レンズのうち、前記鏡筒の最も一端側寄りに配されるレンズは、前記一側の周縁が前記鏡筒の一端側となるように、前記鏡筒内に保持され、前記レンズ押さえは、前記レンズの前記一側の周縁に接して押圧する部分を有し、該部分が前記鏡筒の一端側から他端側へ拡径するテーパ状に形成してあることを特徴とする。
【００１１】
また、本発明に係るレンズユニットは、前記スペーサが、一端側の端面が前記レンズの前記一側の周縁に接すると共に、前記端面が他端側から前記一端側へ拡径するテーパ状に形成してあることを特徴とする。
【００１２】
本発明においては、鏡筒内に保持されるレンズの周縁を、一側から他側へ向けて拡径するテーパ状に形成する。また、レンズユニットを構成する鏡筒、スペーサ又はレンズ押さえ等の他の部品は、レンズの周縁に接する部分を同様にテーパ状に形成する。テーパ状とは、相対する面を対照的に傾斜させることにより、円錐状に直径が減少する部分であり、略円形のレンズの周縁をテーパ状に形成した場合、その勾配の中心はレンズの中心軸に位置する。同様に、円筒状の鏡筒、スペーサ又はレンズ押さえ等のレンズとの接触部分をテーパ状に形成した場合、その勾配の中心は鏡筒、スペーサ又はレンズ押さえの中心軸に位置する。
また、鏡筒には一端側の開口からレンズ及びスペーサを順に挿入して嵌合させるが、鏡筒の一端側に螺合して鏡筒内のレンズ及びスペーサを他端側へ押圧することにより、レンズ及びスペーサを固定するレンズ押さえをレンズユニットが備える構成とする。レンズ押さえを螺合させて押圧することにより、鏡筒内に挿入されたレンズのテーパ面と、鏡筒、スペーサ又はレンズ押さえ等の部品に形成されたテーパ面とが当接し、両テーパ面の勾配が重なってその中心が一致する。即ち、レンズ押さえを鏡筒に螺合させる作業を行うことによって、レンズの中心と、鏡筒、スペーサ又はレンズ押さえ等の部品の中心とを一致させることができ、調芯作業を行うことができる。
【００１３】
また、本発明においては、鏡筒の内周面の一周に亘って、環状のレンズ保持部を突設する。レンズ保持部に保持されるレンズは、テーパ状に形成された一側の周縁が鏡筒の他端側となるように、鏡筒内に保持する。レンズ保持部は、このレンズに外嵌すると共に、レンズの一側の周縁に接する部分を設けることにより、レンズの他端側への移動を係止して保持する構成とする。レンズユニットには複数のレンズが収められるが、例えば鏡筒の最奥に設けられるレンズなどを保持するために、上記のレンズ保持部を鏡筒に設けることができる。
このレンズ保持部に保持されるレンズの周縁をテーパ状に形成すると共に、レンズ保持部にはレンズの周縁が接する部分を鏡筒の他端側から一端側へ拡径するテーパ状に形成する。レンズ押さえの螺合によってレンズが押圧されることにより、レンズのテーパ面とレンズ保持部のテーパ面とが当接し、両テーパ面の勾配を重ね合わせてその中心を一致させることができ、調芯を行うことができる。
【００１４】
また、本発明においては、鏡筒には一端側から順にレンズ及びスペーサが挿入され、鏡筒の一端側にレンズ押さえが螺合されるが、レンズ押さえには、鏡筒の最も一端側寄りに保持されたレンズの一側の周縁に接触して、このレンズを他端側へ押圧する部分を設ける。レンズ押さえが最も一端側寄りのレンズを押圧することで、鏡筒内の他のレンズ及びスペーサを押圧することができ、レンズ押さえ及び鏡筒の螺合により、鏡筒内のレンズ及びスペーサを不動に固定できる。
また鏡筒の最も一端側に保持されたレンズはテーパ状に形成された一側が鏡筒の一端側となるように配し、このレンズの周縁に接触するレンズ押さえの接触部分を鏡筒の一端側から他端側へ拡径するテーパ状に形成する。レンズ押さえの螺合によってこのレンズが押圧されることにより、レンズのテーパ面とレンズ押さえのテーパ面とが当接し、両テーパ面の勾配を重ね合わせてその中心を一致させることができ、調芯を行うことができる。
【００１５】
また、本発明においては、鏡筒内において２つのレンズの間には筒状のスペーサを介在させることにより、レンズの位置決めを行うが、このときスペーサの両端面は各レンズの周縁に接触する。そこで、テーパ状に形成されたレンズの一側の周縁にスペーサの一端側の端面を接触させる構成とすると共に、スペーサの一端側の端面を他端側から一端側へ拡径するテーパ状に形成する。レンズ押さえの螺合によってこのレンズがスペーサへ押圧されることにより、レンズのテーパ面とスペーサのテーパ面とが当接し、両テーパ面の勾配を重ね合わせてその中心を一致させることができ、調芯を行うことができる。
【発明の効果】
【００１６】
本発明による場合は、鏡筒内に保持されるレンズの一側の周縁をテーパ状に形成し、レンズユニットを構成する鏡筒、スペーサ又はレンズ押さえ等の他の部品はレンズの一側の周縁に接する部分をテーパ状に形成することによって、鏡筒の一端側にレンズ押さえを螺合させることにより、鏡筒内のレンズ及びスペーサが他端側へ押圧され、レンズのテーパ面と他の部品のテーパ面とが当接して、レンズの中心と他の部品の中心とを一致させることができるため、鏡筒内にレンズ及びスペーサを挿入してレンズ押さえを螺合させるレンズユニットの組立作業を行うのみで、レンズの調芯作業を行うことができる。よって、調芯作業のための専用の装置を用いることなくレンズの調芯を行うことができ、レンズユニットの調芯作業に要する時間及びコスト等を削減することができ、レンズユニットの組み立てを迅速且つ確実に行うことができる。また、鏡筒内のレンズ及びスペーサをレンズ押さえにより固定することができるため、レンズ及びスペーサの固定に接着剤を用いる必要がない。
【発明を実施するための最良の形態】
【００１７】
（実施の形態１）
以下、本発明をその実施の形態を示す図面に基づき具体的に説明する。図１は、本発明の実施の形態１に係るレンズユニットの構成を示す斜視図であり、図２は同レンズユニットの構成を示す分解斜視図であり、図３は同レンズユニットの構成を示す断面図である。
【００１８】
図において５は、第１レンズ１及び第２レンズ２を内部に保持するための鏡筒であり、円筒状をなしている。実施の形態１に係るレンズユニットは、第１レンズ１、スペーサ７、及び第２レンズ２が鏡筒５に挿入され、これらが鏡筒５に嵌合した状態でレンズ押さえ６により固定されて構成されている。なお以下においては、軸方向の第２レンズ２側（図３上側）を正面側といい、第１レンズ１側（図３下側）を背面側という。
【００１９】
第１レンズ１及び第２レンズ２は、例えば硫化亜鉛、ゲルマニウム又はカルコゲナイドガラス等を原料として製造され、８〜１２μｍ帯の赤外線を透過する赤外線レンズである。第１レンズ１は、円板状をなしており、正面側に凸面１１を有し、背面側に凹面１２を有するレンズ、所謂メニスカスレンズである。また第１レンズ１は、正面及び背面の周縁部分を平滑に形成した鍔部１３を有しており、鍔部１３は第１レンズ１を鏡筒５内に保持するための部分である。更に、第１レンズ１の鍔部１３には、背面側の周縁部分を一周に亘ってテーパ状に形成したテーパ面１５が設けてある。
【００２０】
同様に、第２レンズ２は、円板状をなしており、正面側に凸面２１を有し、背面側に凹面２２を有するメニスカスレンズである。第２レンズ２は、正面及び背面の周縁部分を平滑に形成した鍔部２３を有しており、鍔部２３は第２レンズ２を鏡筒５内に保持するための部分である。更に、第２レンズ２の鍔部２３には、正面側の周縁部分を一周に亘ってテーパ状に形成したテーパ面２５が設けてある。
【００２１】
鏡筒５は、円筒状をなしており、例えばアルミ合金などを用いて製造される。第１レンズ１の外径は鏡筒５の内径より小さく、鏡筒５には第１レンズ１を保持するための環状のレンズ保持部５１が形成されている。レンズ保持部５１は、鏡筒５の背面側端部の内周面に一周に亘って突設され、正面側から背面側へ内径が段階的に小さくなる階段状をなした部分である。レンズ保持部５１は、第１レンズ１の外周面１４に接する部分と、第１レンズ１の鍔部１３の背面に接する部分とを有しており、正面側から第１レンズ１を鏡筒５内に挿入して外周面１４及び鍔部１３の背面をレンズ保持部５１に接触させることにより、第１レンズ１は鏡筒５のレンズ保持部５１に嵌合し、保持される。
【００２２】
またレンズ保持部５１の第１レンズ１の背面に接する部分は、一周に亘ってテーパ状に形成したテーパ面５２が設けてある。またレンズ保持部５１のテーパ面５２の傾きは、第１レンズ１のテーパ面１５の傾きに等しく形成してある。よってレンズ保持部５１が第１レンズ１を保持した場合、第１レンズ１の背面の周縁部分に形成されたテーパ面１５と、レンズ保持部５１に形成されたテーパ面５２とが当接する。
【００２３】
スペーサ７は、円筒状をなしており、鏡筒５と同じ素材（アルミ合金など）を用いて製造される。スペーサ７の外径は鏡筒５の内径と略同じにしてあり、正面側からスペーサ７を鏡筒５内へ挿入して嵌合させることができる。またスペーサ７内は、内径が正面側から背面側へ徐々に小さくなるテーパ状に形成してある。鏡筒５内において、スペーサ７の背面側の端面は第１レンズ１の鍔部１３の正面に当接し、スペーサ７の正面側の端面はレンズ保持部材８の背面側の端面に当接する。即ち、第１レンズ１と第２レンズ２との間にスペーサ７が介在しており、これにより第１レンズ１と第２レンズ２との位置決めが行われる。
【００２４】
鏡筒５の内径は第２レンズ２の外径に略等しいか又は若干大きく形成してあり、正面側から第２レンズ２を鏡筒５内へ挿入して嵌合させることができる。また、第１レンズ１及びスペーサ７を鏡筒５内に挿嵌した後、第２レンズ２を鏡筒５内に挿入し、第２レンズ２の鍔部２３の背面がスペーサ７に接触した状態においては、第２レンズ２の外周面２４の一部が鏡筒５から露出するように、鏡筒５及びスペーサ７の軸方向の長さが調節してある。
【００２５】
また、鏡筒５の外周面の正面側端部近傍にはねじ溝５３が形成されており、レンズ押さえ６の内周面に形成されたねじ溝６５に螺合させることによって、鏡筒５及びレンズ押さえ６の固定を行うことができるようにしてある。レンズ押さえ６は、鏡筒５のねじ溝５３に螺合するねじ溝６５が内周面に形成された筒部６１と、この筒部６１の正面側端部から内側へ向けて設けられ、鏡筒５に挿嵌された第２レンズ２の鍔部２３に当接する押さえ部６２とで構成され、押さえ部６２には第２レンズ２の凸面２１を露出させるための開口６３が形成されている。レンズ押さえ６を鏡筒５に螺合させることによって、第２レンズ２は軸方向に関してレンズ押さえ６の押さえ部６２及びスペーサ７の間に挟まれて強固に固定される。
【００２６】
またレンズ押さえ６の押さえ部６２には、背面の内縁部分（第２レンズ２に接する部分）を一周に亘ってテーパ状に形成したテーパ面６４が設けられている。レンズ押さえ６のテーパ面６４の傾きは、第２レンズ２のテーパ面２５の傾きに等しく形成してある。よって、鏡筒５に第２レンズ２を挿嵌し、レンズ押さえ６を鏡筒５に螺合させた場合、第２レンズ２の正面の周縁部分に形成されたテーパ面２５と、レンズ押さえ６の押さえ部６３の背面に形成されたテーパ面６４とが当接する。
【００２７】
円筒状の鏡筒５に螺合するレンズ押さえ６は円筒状であり、レンズ押さえ６の押さえ部６２の背面を一周に亘ってテーパ状に形成した場合、テーパ面６４の勾配の中心はレンズ押さえ６の中心軸上に位置し、即ち鏡筒５の中心軸状に位置する。また、円板状をなす第２レンズ２の正面側の周縁を一周に亘ってテーパ状に形成した場合、テーパ面２５の勾配の中心は第２レンズ２の中心軸上に位置する。レンズ押さえ６のテーパ面６４及び第２レンズ２のテーパ面２５の傾きは等しくしてあるため、テーパ面６４及び２５を一周に亘って密着させることによって、レンズ押さえ６の中心軸と第２レンズ２の中心軸とが一致し、第２レンズ２の中心軸を鏡筒５の中心軸に一致させる調芯を行うことができる。レンズ押さえ６は鏡筒５に螺合させる構成であるため、回転動作によりレンズ押さえ６のテーパ面６４と第２レンズ２のテーパ面２５とを一周に亘って確実に密着させることができる。
【００２８】
同様に、円筒状の鏡筒５の内周面に設けられた環状のレンズ保持部５１について、第１レンズ１に接触する部分を一周に亘ってテーパ状に形成した場合、テーパ面５２の勾配の中心は鏡筒５の中心軸上に位置する。また、円板状をなす第１レンズ１の背面側の周縁を一周に亘ってテーパ状に形成した場合、テーパ面１５の勾配の中心は第１レンズ１の中心軸上に位置する。レンズ保持部５１のテーパ面５２及び第１レンズ１のテーパ面１５の傾きは等しくしてあるため、テーパ面５２及び１５を一周に亘って密着させることによって、鏡筒５の中心軸と第１レンズ１の中心軸とが一致し、第１レンズ１の中心軸を鏡筒５の中心軸に一致させる調芯を行うことができる。レンズ押さえ６を鏡筒５に螺合させることによって、第２レンズ２及びスペーサ７を介して第１レンズ１が背面側へ押圧されるため、第１レンズ１のテーパ面１５とレンズ保持部５１のテーパ面５２とを密着させることができる。
【００２９】
レンズユニットの組み立てを行う場合、まず、鏡筒５内に第１レンズ１を挿入してレンズ保持部５１に嵌合させることにより保持させ、スペーサ７を背面側端面が第１レンズ１の鍔部１３に当接するまで挿入して嵌合させる。次いで、鏡筒５内に第２レンズ２をスペーサ７に当接するまで挿入して嵌合させる。
【００３０】
その後、レンズ押さえ６を鏡筒５の一端に螺合させ、螺合のための回転動作により第１レンズ１、スペーサ７及び第２レンズ２を鏡筒５内にて背面側へ徐々に押圧する。これにより、第２レンズ２及びスペーサ７を介して押圧された第１レンズ１のテーパ面１５が、鏡筒５のレンズ保持部５１のテーパ面５２に一周に亘って当接すると共に、第２レンズ２のテーパ面２５がレンズ押さえ６のテーパ面６４に当接する。よって、第１レンズ１及び鏡筒５の中心が一致すると共に、第２レンズ２及び鏡筒５の中心が一致するため、第１レンズ１及び第２レンズ２の中心を一致させることができ、レンズ間の調芯作業をレンズユニットの組み立て作業にて完了させることができる。また鏡筒５に螺合したレンズ押さえ６により、鏡筒５内の第１レンズ１、スペーサ７及び第２レンズ２は不動に固定されるため、これらを接着剤などにより鏡筒５に接着固定する必要はない。なお、レンズ押さえ６は必要に応じて鏡筒５に接着剤を用いて接着固定する構成であってもよい。
【００３１】
以上の構成のレンズユニットは、第１レンズ１の背面の周縁にテーパ面１５を形成し、これに当接するテーパ面５２を鏡筒５のレンズ保持部５１に形成すると共に、第２レンズ２の正面の周縁にテーパ面２５を形成し、これに当接するテーパ面６４をレンズ押さえ６の押さえ部６２の背面に形成することにより、レンズユニットの組み立ての際にレンズ押さえ６を鏡筒５に螺合する回転動作を行うことで、第１レンズ１及び第２レンズ２の中心を一致させる調芯を行うことができる。よって、レンズの調芯を行うために、撮像装置、表示装置及び演算装置等を有する調整用の装置を用いる必要がなく、レンズユニットの組み立てを行うのみで調芯を行うことができ、調芯に要する時間及びコスト等を削減することができる。
【００３２】
また、レンズ押さえ６によって第１レンズ１、スペーサ７及び第２レンズ２が鏡筒５内に押圧されて不動に固定されるため、第１レンズ１及び第２レンズ２を鏡筒５に接着剤を用いて接着固定する必要がない。よって、赤外線レンズを鏡筒に接着固定する際に用いられる熱硬化型接着剤による硬化時の位置ずれ又は偏心等が発生する虞がなく、レンズユニットの光学的性の低下を防止することができる。
【００３３】
なお、本実施の形態においては、第１レンズ１及び第２レンズ２が赤外線のみを透過する赤外線レンズとしたが、これに限るものではなく、可視光線を透過する通常のレンズであってもよく、その他のレンズであってもよい。また、第１レンズ１及び第２レンズ２の両方について、周縁をテーパ状に形成する構成としたが、これに限るものではなく、いずれか一方のレンズについてのみ周縁をテーパ状に形成してもよい。
【００３４】
（実施の形態２）
図４は、本発明の実施の形態２に係るレンズユニットの構成を示す断面図である。実施の形態１に係るレンズユニットは、第２レンズ２の正面側の周縁にテーパ面２５を形成する構成であるが、これに対して実施の形態２に係るレンズユニットは、第２レンズ２０２の背面側の周縁にテーパ面２２５を形成する構成である。
【００３５】
実施の形態２に係るレンズユニットの第２レンズ２０２は、円板状をなしており、正面側に凸面２１を有し、背面側に凹面２２を有する赤外線レンズである。また第２レンズ２０２は、正面及び背面の周縁部分を平滑に形成した鍔部２３を有していると共に、鍔部２３の背面側の周縁には、第２レンズ２０２の一周に亘ってテーパ状に形成したテーパ面２２５が設けられている。
【００３６】
また、実施の形態２に係るレンズユニットの第１レンズ１及び第２レンズ２０２の間に介在して位置決めを行う円筒状のスペーサ２０７は、背面側の端面が第１レンズ１の鍔部１３の正面側に当接する。スペーサ２０７の正面側の端面は、一周に亘ってテーパ状に形成されたテーパ面２７１としてあり、第２レンズ２の背面の周縁に形成されたテーパ面２２５に当接するようにしてある。よって、スペーサ２０７のテーパ面２７１と第２レンズ２のテーパ面２２５とは同じ傾きである。
【００３７】
円筒状の鏡筒５に内嵌するスペーサ２０７は円筒状であり、正面側の端面を一周に亘ってテーパ状に形成した場合、テーパ面２７１の勾配の中心はスペーサ２０７の中心軸上に位置し、即ち鏡筒５の中心軸上に位置する。また、円板状をなす第２レンズ２０２の背面側の周縁を一周に亘ってテーパ状に形成した場合、テーパ面２２５の勾配の中心は第２レンズ２０２の中心軸上に位置する。スペーサ２０７のテーパ面２７１と第２レンズ２０２のテーパ面２２５の傾きは等しくしてあるため、テーパ面２７１及び２２５を一周に亘って密着させることによって、スペーサ２０７の中心軸と第２レンズ２０２の中心軸とが一致し、第２レンズ２０２の中心軸を鏡筒５の中心軸に一致させる調芯を行うことができる。レンズ押さえ６を鏡筒５に螺合させることによって、第２レンズ２０２がスペーサ２０７へ押圧されるため、第２レンズ２０２のテーパ面２２５とスペーサ２０７のテーパ面２７１とを密着させることができる。
【００３８】
以上の構成の実施の形態２に係るレンズユニットは、第２レンズ２０２の背面側の周縁にテーパ面２２５を形成する構成であっても、第２レンズ２０２の周縁に接触するスペーサ２０７の正面側の端面にテーパ面２７１を形成することによって、実施の形態１に係るレンズユニットと同様に、レンズユニットの組み立てを行うのみで調芯を行うことができ、調芯に要する時間及びコスト等を削減することができると共に、第１レンズ１及び第２レンズ２０２を鏡筒５に接着剤を用いて接着固定する必要がなく、レンズユニットの光学特性の低下を防止することができる。
【００３９】
なお、実施の形態２に係るレンズユニットのその他の構成は、実施の形態１に係るレンズユニットの構成と同様であるため、同様の箇所には同じ符号を付して詳細な説明を省略する。
【００４０】
（実施の形態３）
図５は、本発明の実施の形態３に係るレンズユニットの構成を示す分解斜視図であり、図６は同レンズユニットの構成を示す断面図である。上述の実施の形態１、２に係るレンズユニットは赤外線レンズを２つ備える構成であるが、実施の形態３に係るレンズユニットは赤外線レンズを３つ備える構成である。
【００４１】
実施の形態３に係るレンズユニットは、第１〜第３レンズ３０１〜３０３、鏡筒３０５、レンズ押さえ３０６、第１スペーサ３０７及び第２スペーサ３０９を備えている。レンズユニットは、鏡筒３０５に第１レンズ３０１、第１スペーサ３０７、第２レンズ３０２、第２スペーサ３０９、第３レンズ３０３が順次挿嵌され、鏡筒３０５の正面側にレンズ押さえ３０６が固定されて構成されている。
【００４２】
第１レンズ３０１は、円板状をなしており、正面側に凸面３１１を有し、背面側に凹面３１２を有するレンズである。第１レンズ３０１は、正面及び背面の周縁部分を平滑に形成した鍔部３１３を有しており、鍔部３１３は第１レンズ３０１を鏡筒３０５内に保持するための部分である。また第１レンズ３０１の鍔部３１３の背面には、その周縁をテーパ状に形成したテーパ面３１５が設けてある。
【００４３】
鏡筒３０５は、円筒状をなしており、背面側に第１レンズ３０１を保持するためのレンズ保持部３５１が形成されている。レンズ保持部３５１は、鏡筒３０５の背面側端部に内周面の一周に亘って突設され、正面側から背面側への内径が段階的に小さくなる階段状をなした部分である。レンズ保持部３５１は、第１レンズ３０１の外周面３１４に接する部分と、第１レンズ３０１の鍔部３１３の背面に接する部分とを有しており、正面側から第１レンズ３０１を鏡筒３０５内に挿入して外周面３１４及び鍔部３１３の背面をレンズ保持部３５１に接触させることにより、第１レンズ３０１はレンズ保持部３５１に嵌合し、保持される。
【００４４】
またレンズ保持部３５１の第１レンズ３０１の背面に接する部分は、一周に亘ってテーパ状に形成したテーパ面３５２が設けてある。またレンズ保持部３５１のテーパ面３５２の傾きは、第１レンズ３０１のテーパ面３１５の傾きに等しく形成してある。よってレンズ保持部３５１が第１レンズ３０１を保持した場合、第１レンズ３０１の背面の周縁部分に形成されたテーパ面３１５と、レンズ保持部３５１に形成されたテーパ面３５２とが当接する。
【００４５】
鏡筒３０５の内径は第２レンズ３０２及び第３レンズ３０３の内径に等しいか又は若干大きく形成してあり、第１レンズ３０１及び第１スペーサ３０７を鏡筒３０５内に挿嵌した後、第２レンズ３０２を鏡筒３０５内に挿入して、軸方向について鏡筒３０５の略中央位置に第２レンズ３０２を嵌合させることができる。
【００４６】
第２レンズ３０２は、円板状をなしており、正面側に凹面３２１を有し、背面側に凸面３２２を有するレンズである。第２レンズ３０２は、正面及び背面の周縁部分を平滑に形成した鍔部３２３を有しており、鍔部３２３はスペーサ３０７に当接することによって、第２レンズ３０２を鏡筒３０５内に保持するための部分である。また第２レンズ３０２の鍔部３２３の背面には、その周縁をテーパ状に形成したテーパ面３２５が設けてある。
【００４７】
第１スペーサ３０７は、円筒状をなし、外径が鏡筒３０５の内径と略同じであり、正面側から第１スペーサ３０７を鏡筒３０５内に挿入して嵌合させることができる。また第１スペーサ３０７内は、内径が正面側から背面側へ徐々に小さくなるテーパ状に形成してある。鏡筒３０５内において、第１スペーサ３０７の背面側の端面は第１レンズ３０１の鍔部３１３の正面に当接する。スペーサ３０７の正面側の端面は、一周に亘ってテーパ状に形成されたテーパ面３７１としてあり、第２レンズ３０２の鍔部３２３の背面の周縁に形成されたテーパ面３２５に当接するようにしてある。よって、第１スペーサ３０７のテーパ面３７１と第２レンズ３０２のテーパ面３２５とは同じ傾きである。
【００４８】
また、第３レンズ３０３は、円板状をなしており、正面側に凸面３３１を有し、背面側に凹面３３２を有するレンズである。第３レンズ３０３は、背面の周縁部分をテーパ状に形成したテーパ面３３５を有している。
【００４９】
第２スペーサ３０９は、円筒状をなし、外径が鏡筒３０５の内径と略同じであり、正面側から第２スペーサ３０９を鏡筒３０５内に挿入して嵌合させることができる。鏡筒３０５内において、第２スペーサ３０９の背面側の端面は第２レンズ３０２の鍔部３２３の正面に当接する。また第２スペーサ３０９の正面側の端面には、一周に亘ってテーパ状に形成されたテーパ面３９１としてあり、第３レンズ３０３の背面の周縁に形成されたテーパ面３３５に当接するようにしてある。よって、第２スペーサ３０９のテーパ面３９１と第３レンズ３０３のテーパ面３３５とのは同じ傾きである。
【００５０】
鏡筒３０５の外周面の正面側端部近傍にはねじ溝３５３が形成されており、レンズ押さえ３０６の内周面に形成されたねじ溝３６５に螺合させることによって、鏡筒３０５及びレンズ押さえ３０６の固定を行うことができる。レンズ押さえ３０６は、鏡筒３０５のねじ溝３５３に螺合するねじ溝３６４が内周面に形成された筒部３６１と、この筒部３６１の正面側端部から内側へ向けて設けられ、鏡筒２０５に挿嵌された第３レンズ３０３の正面の周縁部分に当接する押さえ部３６２とで構成され、押さえ部３６２には第３レンズ３０３の凸面３３１を露出させる開口３６３が形成されている。レンズ押さえ３０６を鏡筒０５に螺合させることによって、第３レンズ３０３が押さえ部３６２により背面側へ押圧され、これにより鏡筒３０５内の第１レンズ３０１、第１スペーサ３０７、第２レンズ３０２及び第２スペーサ３０９が背面側へ押圧される。
【００５１】
円筒状の鏡筒５の内周面に設けられた環状のレンズ保持部３５１について、第１レンズ３０１に接触する部分を一周に亘ってテーパ状に形成した場合、テーパ面３５２の勾配の中心は鏡筒５の中心軸上に位置する。また、円板状をなす第１レンズ３０１の背面側の周縁を一周に亘ってテーパ状に形成した場合、テーパ面３１５の勾配の中心は第１レンズ３０１の中心軸上に位置する。レンズ保持部３５１のテーパ面３５２及び第１レンズ３０１のテーパ面３１５の傾きは等しくしてあるため、テーパ面３５２及び３１５を一周に亘って密着させることによって、鏡筒３０５の中心軸と第１レンズ３０１の中心軸とが一致し、第１レンズ３０１の中心軸を鏡筒３０５の中心軸に一致させることができる。
【００５２】
円筒状の鏡筒３０５に内嵌する第１スペーサ３０７は円筒状であり、正面側の端面を一周に亘ってテーパ状に形成した場合、テーパ面３７１の勾配の中心は鏡筒３０５の中心軸上に位置する。また、円板状をなす第２レンズ３０２の背面側の周縁を一周に亘ってテーパ状に形成した場合、テーパ面３２５の勾配の中心は第２レンズ３０２の中心軸上に位置する。第１スペーサ３０７のテーパ面３７１と第２レンズ３０２のテーパ面３２５との傾きは等しくしてあるため、テーパ面３７１及び３２５を一周に亘って密着させることによって、第１スペーサ３０７の中心軸と第２レンズ３０２の中心軸とが一致し、第２レンズ３０２の中心軸を鏡筒３０５の中心軸に一致させることができる。
【００５３】
同様に、円筒状の鏡筒３０５に内嵌する第２スペーサ３０９は円筒状であり、正面側の端面を一周に亘ってテーパ状に形成した場合、テーパ面３９１の勾配の中心は鏡筒３０５の中心軸上に位置する。また、円板状をなす第３レンズ３０３の背面側の周縁を一周に亘ってテーパ状に形成した場合、テーパ面３３５の勾配の中心は第３レンズ３０３の中心軸上に位置する。第２スペーサ３０９のテーパ面３９１と第３レンズ３０３のテーパ面３３５との傾きは等しくしてあるため、テーパ面３９１及び３３５を一周に亘って密着させることによって、第２スペーサ３０９の中心軸と第３レンズ３０３の中心軸とが一致し、第３レンズ３０３の中心軸を鏡筒３０５の中心軸に一致させることができる。
【００５４】
鏡筒３０５内に第１レンズ３０１、第１スペーサ３０７、第２レンズ３０２、第２スペーサ３０９及び第３レンズ３０３を挿入して嵌合させた後、レンズ押さえ３０６を鏡筒３０５に螺合させることによって、第１レンズ３０１が背面側へ押圧されて、第１レンズ３０１のテーパ面３１５とレンズ保持部３５１のテーパ面３５２とを密着させることができる。また、第２レンズ３０２が第１スペーサ３０７へ押圧されて、第２レンズ３０２のテーパ面３２５と第１スペーサ３０７のテーパ面３７１とを密着させることができる。更に、第３レンズ３０３が第２スペーサ３０９へ押圧されて、第３レンズ３０３のテーパ面３２５と第２スペーサ３０９のテーパ面３９１とを密着させることができる。
【００５５】
以上の構成の実施の形態３に係るレンズユニットは、鏡筒３０５内に３つ以上のレンズを備える構成であっても、各レンズの周縁を一周に亘ってテーパ状に形成すると共に、各レンズの周縁が接する鏡筒３０５及びスペーサ等の他の部品の接触部分をテーパ状に形成することによって、実施の形態１、２に係るレンズユニットと同様の効果を得ることができ、レンズ押さえ３０６を鏡筒３０５に螺合する組立作業によってレンズの調芯を行うことができる。よって、調芯に要する時間及びコスト等を削減することができる。
【００５６】
なお、実施の形態３に係るレンズユニットのその他の構成は、実施の形態１に係るレンズユニットの構成と同様であるため、同様の箇所には同じ符号を付して詳細な説明を省略する。
【図面の簡単な説明】
【００５７】
【図１】本発明の実施の形態１に係るレンズユニットの構成を示す斜視図である。
【図２】本発明の実施の形態１に係るレンズユニットの構成を示す分解斜視図である。
【図３】本発明の実施の形態１に係るレンズユニットの構成を示す断面図である。
【図４】本発明の実施の形態２に係るレンズユニットの構成を示す断面図である。
【図５】本発明の実施の形態３に係るレンズユニットの構成を示す分解斜視図である。
【図６】本発明の実施の形態３に係るレンズユニットの構成を示す断面図である。
【符号の説明】
【００５８】
１  第１レンズ
２  第２レンズ
５  鏡筒
６  レンズ押さえ
７  スペーサ
１５、２５  テーパ面
５１  レンズ保持部
５２  テーパ面
５３  ねじ溝
６２  押さえ部
６４  テーパ面
６５  ねじ溝
２０２  第２レンズ
２０７  スペーサ
２２５、２７１  テーパ面
３０１  第１レンズ
３０２  第２レンズ
３０３  第３レンズ
３０５  鏡筒
３０６  レンズ押さえ
３０７  第１スペーサ
３０９  第２スペーサ
３１５、３２５、３３５  テーパ面
３５１  レンズ保持部
３５２、３７１、３９１  テーパ面
【図１】
2010134378.tif 000003
【図２】
2010134378.tif 000004
【図３】
2010134378.tif 000005
【図４】
2010134378.tif 000006
【図５】
2010134378.tif 000007
【図６】
2010134378.tif 000008